(57)【要約】  ＵＥ及びランクを同時に選択することを含むＭＩＭＯシステムにおいて送信をスケジューリングする方法が提供される。本方法は、基地局において、候補ＵＥの中からＵＥを選択し、選択されたＵＥのためのＭＩＭＯランクを選択することを含み、選択されるＵＥ及び選択されるＵＥのＭＩＭＯランクは、選択されるＭＩＭＯランクの前記選択されたＵＥと、スケジューリングされるＵＥとの間のＵＥ間干渉に応じて選択される。そして、選択されたＵＥは、スケジューリングされるＵＥと共に、ＭＩＭＯランクで送信のためにスケジューリングされる。【選択図】図１
2019526976.tif 000002
【特許請求の範囲】
【請求項１】
基地局と、１又は複数のスケジューリングされるＵＥと、複数の候補ＵＥと、を含むＭＩＭＯシステムにおいて送信をスケジューリングする方法であって、前記方法は、
前記基地局において、前記候補ＵＥの中からＵＥを選択し、前記選択されたＵＥのためのＭＩＭＯランクを選択することを含み、選択されるＵＥ及び選択されるＵＥのＭＩＭＯランクは、選択されるＭＩＭＯランクの前記選択されたＵＥと、前記スケジューリングされるＵＥとの間のＵＥ間干渉に応じて選択され、
前記方法は、前記スケジューリングされるＵＥと共に、前記ＭＩＭＯランクで送信のために前記ＵＥをスケジューリングすることを含む、方法。
【請求項２】
前記ＵＥ間干渉は、前記選択されたＵＥ及び前記スケジューリングされるＵＥの各々の信号対干渉雑音比（ＳＩＮＲ：signal-to-interference-plus-noise ratio）に応じて決定される、請求項１に記載の方法。
【請求項３】
前記ＵＥは、
前記候補ＵＥの各々と、前記スケジューリングされるＵＥとについてのＵＥ間干渉を決定し、
前記決定されたＵＥ間干渉に応じて、前記候補ＵＥの中から前記ＵＥを選択することにより選択される、請求項１に記載の方法。
【請求項４】
前記候補ＵＥの各々についての前記ＵＥ間干渉は、複数のＭＩＭＯランクの各々に対して決定され、前記ＵＥ及びＭＩＭＯランクは、前記決定されたＵＥ間干渉に応じて同時に選択される、請求項３に記載の方法。
【請求項５】
前記候補ＵＥの各々と、前記スケジューリングされるＵＥとについての複合プリコーダを決定することと、前記複合プリコーダ及びチャネル推定値を用いて前記ＵＥ間干渉を決定することと、をさらに含む、請求項４に記載の方法。
【請求項６】
前記プリコーダは、チャネル推定値の特異値分解（ＳＶＤ：singular value decomposition）に応じて決定される、請求項５に記載の方法。
【請求項７】
2019526976.tif 000036
【請求項８】
SINR(nSB,i,r,l)は、下記式に従って決定され、
【数１】
2019526976.tif 000037
SINR(nSB,[i,r],k,l)は、下記式に従って決定される、請求項６に記載の方法。
【数２】
2019526976.tif 000038
【請求項９】
前記プリコーダW(nSB,i,r)は、下記式に従って決定される、請求項７に記載の方法。
【数３】
2019526976.tif 000039
【請求項１０】
前記スケジューリングされるＵＥは、チャネル推定値に応じて他のＵＥとの最小の相関に基づいてスケジューリングされるように選択された第１のＵＥを含む、請求項１に記載の方法。
【請求項１１】
前記第１のＵＥ
【数４】
2019526976.tif 000040
は、下記式に従って選択される、請求項１０に記載の方法。
【数５】
2019526976.tif 000041
【請求項１２】
前記選択された第１のＵＥは、信号対干渉雑音比（ＳＩＮＲ：Signal-to-interference-plus-noise）に従って選択される、請求項１０に記載の方法。
【請求項１３】
2019526976.tif 000042
【請求項１４】
前記基地局において、前記候補ＵＥの中からさらなるＵＥを選択し、前記選択されたさらなるＵＥのためのＭＩＭＯランクを選択することをさらに含み、選択されるさらなるＵＥ及び選択されるさらなるＵＥのＭＩＭＯランクは、選択されるＭＩＭＯランクの前記選択されたさらなるＵＥと、前記スケジューリングされるＵＥとの間のＵＥ間干渉に応じて選択され、
前記方法は、前記スケジューリングされるＵＥと共に、前記ＭＩＭＯランクで送信のために前記さらなるＵＥをスケジューリングすることをさらに含む、請求項１に記載の方法。
【請求項１５】
さらなるＵＥは、ランク閾値及び／又は干渉閾値が到達するまで前記基地局において選択される、請求項１４に記載の方法。
【請求項１６】
2019526976.tif 000043
【請求項１７】
前記ランク閾値は、以下を含む、請求項１５に記載の方法。
【数６】
2019526976.tif 000044
【請求項１８】
基地局と、
１又は複数のスケジューリングされるＵＥ及び複数の候補ＵＥを含む複数のＵＥと、
を含み、
前記基地局は、
前記候補ＵＥの中からＵＥを選択し、前記選択されたＵＥのためのＭＩＭＯランクを選択するように構成され、選択されるＵＥ及び選択されるＵＥのＭＩＭＯランクは、選択されるＭＩＭＯランクの前記選択されたＵＥと、前記スケジューリングされるＵＥとの間のＵＥ間干渉に応じて選択され、
前記基地局は、前記スケジューリングされるＵＥと共に、前記ＭＩＭＯランクで送信のために前記ＵＥをスケジューリングする、
ＭＩＭＯシステム。
【発明の詳細な説明】
【技術分野】
【０００１】
本発明は、アドバンスト無線通信ネットワークにおける制御シグナリングに関連し、特に、ＭＵ−ＭＩＭＯ通信システムにおける制御シグナリングに関連する。
【０００２】
＜略語＞
以下の略語が本明細書で使用される：
ＤＬ      ダウンリンク
ＦＤＤ    周波数分割複信
ＭＩＭＯ  マルチプルインプットマルチプルアウトプット
ＭＵ      マルチユーザ
ＳＵ      シングルユーザ
ＴＤＤ    時分割複信
ＵＥ      ユーザ装置
【背景技術】
【０００３】
基地局（ｅＮｏｄｅＢ（ｅＮＢ）としても知られている）がｅＮＢの範囲内のモバイルデバイス（ユーザ装置（ＵＥ）としても知られている）と通信を行う無線通信システムが広く知られている。各ｅＮＢは、その利用可能な帯域幅、つまり、周波数及び時間リソース、を、異なるＵＥに対する異なるリソース割当に分割する。より多くのユーザ（より多くのＵＥ）、より多くのデータ集約型サービス、及び／又はより高いデータ送信レートに対応するために、そのようなシステムの容量を増やし、リソース利用の効率を改善するという一定の必要性がある。
【０００４】
マルチプルインプットマルチプルアウトプット（ＭＩＭＯ：Multiple-input multiple-output）方式は、送信機と受信機との間で達成可能なデータ容量を増加させるために、送信機及び／又は受信機で（しばしば両方で）複数のアンテナを使用する。典型的に、これは、ｅＮＢと、当該ｅＮＢによりサービスされるＵＥとの間の拡張されたデータ容量を達成するために使用される。
【０００５】
図１は、ＮＴＸ個のアンテナを備える基地局（ｅＮＢ）１０５と、Ｎ個のＵＥとを含む、先行技術にかかる一般的なＭＵ−ＭＩＭＯシステム１００を図示する。
【０００６】
ｅＮＢ１０５は、スケジューリングのために多数のＵＥ１１０を選択し、スケジューリングされるＵＥ１１０に送信ランクを割り当てる。スケジューリングされるランクの総数は、ｅＮＢ１０５が提供することができるレイヤＬＭＡＸの数を超えてはならない。
【０００７】
それらのスケジューリングされるＵＥ１１０に対して、ｅＮＢ１０５は、複数の送信アンテナから同一の時間−周波数において、それらにデータを送信する。ＵＥ間の干渉を最小化するために、ｅＮｏｄｅＢは、プリコーディングを介して送信ビームを生成する。数学的には、ｉ番目のＵＥにおける受信信号は、以下のように記述される：
【数１】
2019526976.tif 000003
【０００８】
プリコーダは、ＵＥ１１０からのダウンリンクチャネル状態又はダウンリンクチャネル推定に基づいて生成される。ＴＤＤシステムでは、ダウンリンクチャネル推定は、アップリンクチャネルの推定を介して利用することができ、ＦＤＤシステムでは、ダウンリンクチャネルは、ＵＥフィードバックを使用して推定することができる。図２は、システム１００のｅＮＢ１０５とＵＥ１１０との間のダウンリンク及びアップリンク送信メカニズムを図示する。
【発明の概要】
【発明が解決しようとする課題】
【０００９】
先行技術のＭＩＭＯシステムの問題は、それらが利用可能な帯域幅を完全に利用しておらず、したがって非効率的に動作することである。特に、ＵＥ間干渉は、しばしば帯域幅の非効率的な利用を引き起こす。
【００１０】
したがって、アドバンスト無線ネットワークにおいて、改善されたＭＩＭＯ通信が必要とされる。
【００１１】
先行技術の刊行物が本明細書で参照されている場合、その参照は、当該刊行物がオーストラリア国又は任意の他の国における一般的な知識の一部を形成することを構成するものではないことは明確に理解されるであろう。
【課題を解決するための手段】
【００１２】
本発明は、上述した欠点の少なくとも１つを少なくとも部分的に克服するか又は消費者に有用な、あるいは商業的選択を提供し得るＭＩＭＯシステム及びＭＩＭＯシステムのための方法に関する。
【００１３】
上述した観点から、一形態において本発明は、基地局、１又は複数のスケジューリングされるＵＥ、及び複数の候補ＵＥを含むＭＩＭＯシステムにおいて送信をスケジューリングする方法に広く属し、前記方法は、
前記基地局において、前記候補ＵＥの中からＵＥを選択し、前記選択されたＵＥのためのＭＩＭＯランクを選択することを含み、選択されるＵＥ及び選択されるＵＥのＭＩＭＯランクは、選択されるＭＩＭＯランクの前記選択されたＵＥと、前記スケジューリングされるＵＥとの間のＵＥ間干渉に応じて選択され、
前記方法は、前記スケジューリングされるＵＥと共に、前記ＭＩＭＯランクで送信のために前記ＵＥをスケジューリングすることを含む。
【００１４】
好ましくは、ＵＥ間干渉は、前記選択されるＵＥ及び前記スケジューリングされるＵＥの各々の信号対干渉雑音比（ＳＩＮＲ：signal-to-interference-plus-noise ratio）に応じて決定される。
【００１５】
好ましくは、前記ＵＥは、
前記候補ＵＥの各々と、前記スケジューリングされるＵＥとについてのＵＥ間干渉を決定し、
前記決定されるＵＥ間干渉に応じて前記候補ＵＥの中から前記ＵＥを選択することにより選択される。
【００１６】
好ましくは、前記候補ＵＥの各々についての前記ＵＥ間干渉は、複数のＭＩＭＯランクの各々に対して決定され、前記ＵＥ及び前記ＭＩＭＯランクは、前記決定されたＵＥ間干渉に応じて同時に（jointly）選択される。
【００１７】
前記方法は、前記候補ＵＥの各々と、前記スケジューリングされるＵＥとについての複合プリコーダを決定することと、前記複合プリコーダ及びチャネル推定値を用いて前記ＵＥ間干渉を決定することと、をさらに含んでもよい。
【００１８】
前記プリコーダは、チャネル推定値の特異値分解（ＳＶＤ：singular value decomposition）に応じて決定されてもよい。
【００１９】
2019526976.tif 000004
【００２０】
2019526976.tif 000005
【００２１】
2019526976.tif 000006
【００２２】
好ましくは、前記スケジューリングされるＵＥは、チャネル推定値に応じて他のＵＥとの最小の相関に基づいてスケジューリングされるように選択された第１のＵＥを含む。
【００２３】
2019526976.tif 000007
【００２４】
好ましくは、前記選択された第１のＵＥの前記ランクは、信号対干渉雑音比（ＳＩＮＲ：Signal-to-interference-plus-noise ratio）に応じて選択される。
【００２５】
2019526976.tif 000008
【００２６】
好ましくは、前記方法は、
前記基地局において、前記候補ＵＥの中からさらなるＵＥを選択し、前記選択されたさらなるＵＥのためのＭＩＭＯランクを選択することをさらに含み、選択されるさらなるＵＥ及び選択されるさらなるＵＥのＭＩＭＯランクは、選択されるＭＩＭＯランクの前記選択されたさらなるＵＥと、前記スケジューリングされるＵＥとの間のＵＥ間干渉に応じて選択され、
前記方法は、前記スケジューリングされるＵＥと共に、前記ＭＩＭＯランクで送信のために前記さらなるＵＥをスケジューリングすることをさらに含む。
【００２７】
好ましくは、前記基地局において、さらなるＵＥは、ランク閾値及び／又は干渉閾値が到達されるまで選択される。
【００２８】
2019526976.tif 000009
【００２９】
2019526976.tif 000010
【００３０】
他の形態では、本発明は、
基地局と、
１又は複数のスケジューリングされるＵＥ及び複数の候補ＵＥを含む複数のＵＥと、を含むＭＩＭＯシステムにおいて広く属し、
前記基地局は、
前記候補ＵＥの中からＵＥを選択し、前記選択されたＵＥのためのＭＩＭＯランクを選択するように構成され、選択されるＵＥ及び選択されるＵＥのＭＩＭＯランクは、選択されるＭＩＭＯランクの前記選択されたＵＥと、前記スケジューリングされるＵＥとの間のＵＥ間干渉に応じて選択され、
前記基地局は、前記スケジューリングされるＵＥと共に、前記ＭＩＭＯランクで送信のために前記ＵＥをスケジューリングする。
【００３１】
本発明の実施形態は、チャネル推定値を使用するプリコーディングのタイプにより総伝送容量を最大化するために、ＵＥ及びランクを同時に選択する。
【００３２】
ＵＥの送信ランクが基地局において決定され得るため、ＵＥ間干渉は考慮され、全体的なシステム性能を改善し得る。
【００３３】
ＵＥは、それらの最良の送信ランク推定に基づいて選択され得るので、ＵＥ及びランクの両方が同時に選択される。
【００３４】
正確なＵＥ間干渉を考慮に入れることを可能にするために、実際のプリコーダがＵＥ及びランク決定プロセスにおいて使用されてもよい。
【００３５】
本明細書に記載の特徴のいずれも、本発明の範囲内で、本明細書に記載の他の特徴の任意の１つまたは複数と任意の組み合わせにより組み合わせることができる。
【００３６】
本明細書におけるいかなる先行技術への言及も、先行技術が共通の一般的知識の一部を形成するという承認又は何らかの形態の示唆として解釈されるべきではなく、またそのように解釈されるべきではない。
【図面の簡単な説明】
【００３７】
本発明の様々な実施形態は、以下の図面を参照しながら説明される。
【００３８】
【図１】図１は、先行技術にかかる一般的なＭＵ−ＭＩＭＯシステムを示す。
【００３９】
【図２】図２は、図１のシステムのｅＮＢ及びＵＥのダウンリンク及びアップリンク送信メカニズムを示す。
【００４０】
【図３】図３は、本発明の実施形態にかかるＭＩＭＯシステムにおけるＵＥ送信をスケジューリングする方法を示す。
【００４１】
【図４】図４は、図３の方法において使用され得る第１のＵＥ及びその送信ランクを選択する方法を示す。
【００４２】
【図５】図５は、図３の方法において使用され得る後続のＵＥ及びそれらの送信ランクを選択する方法を示す。
【００４３】
【図６】図６は、図４の方法において使用され得るＵＥのためのプリコーダを計算する方法を示す。
【００４４】
【図７】図７は、図５の方法において使用され得るＵＥのプリコーダを計算する方法を示す。
【００４５】
本発明の好ましい特徴、実施形態及び変形は、当業者が本発明を実施するために十分な情報を提供する、以下の詳細な説明から明らかになるであろう。詳細な説明は、いかなる方法により前述した本発明の概要の範囲を限定するものとしてみなされてはならない。
【発明を実施するための形態】
【００４６】
図３は、本発明の実施形態にかかるＭＩＭＯシステムにおけるＵＥ送信をスケジューリングする方法３００を示す。方法３００は、ＵＥ間干渉を最小化することを可能とする基地局（ｅＮＢ）において実行され、ジョイントＵＥ選択及びランク推定を含む。その結果、利用可能な帯域幅をより効率的に利用することができる。
【００４７】
図３は、本発明の実施形態にかかるＭＩＭＯシステムにおけるＵＥ送信をスケジューリングする方法３００を示す。方法３００は、ＵＥ間干渉を最小化することを可能とする基地局（ｅＮＢ）において実行され、ジョイントＵＥ選択及びランク推定を含む。その結果、利用可能な帯域幅をより効率的に利用することができる。
【表１】
2019526976.tif 000011
【００４８】
ステップ３０５において、システムのデータ出力及び変数が初期化される。具体的には、スケジューリングされるＵＥの集合Φは、空の集合に初期化され、送信ランクＲは、サイズＮＵＥ×１の空の配列に設定され、現在のＵＥ変数ｎＵＥ＝１である。
【００４９】
ステップ３１０において、第１のＵＥ及びその送信ランクが決定される。以下でさらに詳細に説明するように、図４は、ステップ３１０において採用され得る、第１のＵＥ及びその送信ランクを選択する方法を示す。
【００５０】
ステップ３１５において、第１のＵＥのためのプリコーダが計算され、ステップ３１０への入力として提供される。以下でさらに詳細に説明するように、図６は、ステップ３１５において採用され得る、プリコーダを計算する方法を示す。
【００５１】
ステップ３２０において、後続のＵＥ及びそれらの送信ランクが決定される。以下でさらに詳細に説明するように、図５は、ステップ３２０において採用され得る、後続のＵＥ及びそれらの送信ランクを選択する方法を示す。
【００５２】
ステップ３２５において、後続のＵＥのためのプリコーダが計算され、ステップ３２０への入力として提供される。以下でさらに詳細に説明するように、図７は、ステップ３２５において採用され得る、プリコーダを計算する方法を示す。
【００５３】
最後に、ステップ３３０において、選択基準が満たされた場合、本方法は終了する。具体的には、以下に概説するように、予め定義された選択基準が満たされるまで、ステップ３２０において後続のＵＥが選択される。
【００５４】
図４は、本発明の実施形態にかかる第１のＵＥ及びその送信ランクを選択する方法を示す。
【００５５】
2019526976.tif 000012
【００５６】
上述したように、H(nSB,i),i∈Ωは、NRX(i)×NTXのサイズを有するi番目のＵＥのnSBサブバンドに対するチャネル推定値である。
【００５７】
2019526976.tif 000013
【００５８】
2019526976.tif 000014
【００５９】
2019526976.tif 000015
【００６０】
2019526976.tif 000016
【００６１】
当業者によって容易に理解されるように、ＭＩＭＯシステムの容量はＳＩＮＲに応じて決定されてもよく、より高いＳＩＮＲは高い容量とすることができる。
【００６２】
ＵＥ及びランクが選択されると、選択の基準は、次のように保存される：
【数２】
2019526976.tif 000017
【００６３】
以下でさらに詳細に説明されるように、Ｃ０は、干渉閾値に関連して使用される。本方法は、それに関連して完了してもよい。
【００６４】
2019526976.tif 000018
【００６５】
2019526976.tif 000019
【００６６】
図５は、本発明の実施形態にかかる後続のＵＥ及びそれらの送信ランクを選択する方法５００を示す。
【００６７】
ステップ５０５において、プリコーダW(nSB,i,r)は、全ての可能なランクr∈{1,…,NRX(i)}に対して、及び各候補ＵＥiに対して決定される。そして、各選択されたＵＥk∈Φについて、プリコーダW(nSB,[i,r],k)は、選択されたランクrkに対して決定される。以下でさらに詳細に説明されるように、図７は、ステップ５０５において採用され得る、ＵＥのためのプリコーダを計算する方法を示す。
【００６８】
2019526976.tif 000020
【００６９】
2019526976.tif 000021
【００７０】
2019526976.tif 000022
【００７１】
ＵＥ及びランクが選択されると、選択の基準は次のように保存される：
【数３】
2019526976.tif 000023
【００７２】
2019526976.tif 000024
【００７３】
2019526976.tif 000025
【００７４】
注：｜Φ｜は、集合Φのサイズ（要素数）を示す。
【００７５】
図６は、本発明の実施形態にかかる、ＳＵプリコーダを生成する方法６００を示す。具体的には、プリコーダは、異なる送信ランク並びに所定のチャネル及びＳＮＲ推定値に対して生成される。
【００７６】
便宜上、以下の表２は、方法６００へのデータ入力、方法６００へのデータ出力及び方法６００により使用される制御パラメータの概要を提供する。
【表２】
2019526976.tif 000026
【００７７】
2019526976.tif 000027
【００７８】
2019526976.tif 000028
【００７９】
2019526976.tif 000029
【００８０】
図７は、本発明の実施形態にかかるＭＵプリコーダを生成する方法７００を示す。具体的には、プリコーダは、異なる送信ランク並びに所定のチャネル及びＳＮＲ推定値に対して生成される。
【００８１】
便宜上、以下の表３は、方法７００へのデータ入力、方法７００へのデータ出力及び方法７００により使用される制御パラメータの概要を提供する。
【表３】
2019526976.tif 000030
【００８２】
2019526976.tif 000031
【００８３】
2019526976.tif 000032
【００８４】
2019526976.tif 000033
【００８５】
2019526976.tif 000034
【００８６】
ステップ７２５において、ＵＥｉ及び既に選択されたＵＥのためのプリコーダを以下に従って計算する：
【数４】
2019526976.tif 000035
【００８７】
上述した本発明の実施形態は、チャネル推定値を使用するプリコーディングのタイプにより総伝送容量を最大化するために、ＵＥ及びランクの共同選択（joint selection）を含む。ＵＥの送信ランクは基地局において決定され得るため、ＵＥ間干渉が考慮することができ、これは全体的なシステム性能を改善し得る。
【００８８】
本明細書及び請求の範囲において、（もしあれば）「含む（comprising）」という単語、及び「含む（comprises）」及び「含む（comprise）」を含むその派生語は、記載された整数のそれぞれを含むが、１又は複数のさらなる整数の包含を排除することではない。
【００８９】
本明細書を通して「一実施形態（one embodiment）」又は「一実施形態（an embodiment）」への言及は、その実施形態に関連して説明された特定の特徴、構造、又は特性が本発明の少なくとも１つの実施形態に含まれることを意味する。そのため、本明細書を通して様々な箇所における「一実施形態において（in one embodiment）」又は「一実施形態において（in an embodiment）」というフレーズの出現は、必ずしも全てが同じ実施形態を指すとは限らない。さらに、特定の特徴、構造又は特性は、１又は複数の組み合わせで任意の適切な方法で組み合わされてもよい。
【００９０】
法令に準拠して、本発明は、構造的又は方法的特徴に多かれ少なかれ特有の言葉で説明された。本明細書に記載された手段は、本発明を実施する好ましい形態を含むことからといって、本発明は、示された又は記載された特定の特徴に限定されないことは理解すべきである。したがって、本発明は、（もしあれば）当業者によって適切に解釈される、添付の特許請求の範囲の適切な範囲内において、任意の形態又は変形において請求される。
【００９１】
本出願は、２０１６年８月２３日に出願されたオーストラリア仮特許出願第２０１６９０３３４０号に基づく優先権を主張し、その開示は参照によりその全体が本明細書に組み込まれる。
【符号の説明】
【００９２】
１００  ＭＵ−ＭＩＭＯシステム
１０５  ｅＮＢ
１１０  ＵＥ
【図１】
2019526976.tif 000045
【図２】
2019526976.tif 000046
【図３】
2019526976.tif 000047
【図４】
2019526976.tif 000048
【図５】
2019526976.tif 000049
【図６】
2019526976.tif 000050
【図７】
2019526976.tif 000051
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
基地局と、１又は複数のスケジューリングされるＵＥと、複数の候補ＵＥと、を含むＭＩＭＯシステムにおいて送信をスケジューリングする方法であって、前記方法は、
前記基地局において、前記候補ＵＥの中からＵＥを選択し、前記選択されたＵＥのためのＭＩＭＯランクを選択することを含み、選択されるＵＥ及び選択されるＵＥのＭＩＭＯランクは、選択されるＭＩＭＯランクの前記選択されたＵＥと、前記スケジューリングされるＵＥとの間のＵＥ間干渉に応じて選択され、
前記方法は、前記スケジューリングされるＵＥと共に、前記ＭＩＭＯランクで送信のために前記ＵＥをスケジューリングすることを含む、方法。
【請求項２】
前記ＵＥ間干渉は、前記選択されたＵＥ及び前記スケジューリングされるＵＥの各々の信号対干渉雑音比（ＳＩＮＲ：signal-to-interference-plus-noise ratio）に応じて決定される、請求項１に記載の方法。
【請求項３】
前記ＵＥは、
前記候補ＵＥの各々と、前記スケジューリングされるＵＥとについてのＵＥ間干渉を決定し、
前記決定されたＵＥ間干渉に応じて、前記候補ＵＥの中から前記ＵＥを選択することにより選択される、請求項１に記載の方法。
【請求項４】
前記候補ＵＥの各々についての前記ＵＥ間干渉は、複数のＭＩＭＯランクの各々に対して決定され、前記ＵＥ及びＭＩＭＯランクは、前記決定されたＵＥ間干渉に応じて同時に選択される、請求項３に記載の方法。
【請求項５】
前記スケジューリングされるＵＥは、チャネル推定値に応じて他のＵＥとの最小の相関に基づいてスケジューリングされるように選択された第１のＵＥを含む、請求項１に記載の方法。
【請求項６】
前記第１のＵＥ
【数１】
2019526976.tif 000052
は、下記式に従って選択される、請求項５に記載の方法。
【数２】
2019526976.tif 000053
【請求項７】
前記選択された第１のＵＥは、信号対干渉雑音比（ＳＩＮＲ：Signal-to-interference-plus-noise）に従って選択される、請求項５に記載の方法。
【請求項８】
前記基地局において、前記候補ＵＥの中からさらなるＵＥを選択し、前記選択されたさらなるＵＥのためのＭＩＭＯランクを選択することをさらに含み、選択されるさらなるＵＥ及び選択されるさらなるＵＥのＭＩＭＯランクは、選択されるＭＩＭＯランクの前記選択されたさらなるＵＥと、前記スケジューリングされるＵＥとの間のＵＥ間干渉に応じて選択され、
前記方法は、前記スケジューリングされるＵＥと共に、前記ＭＩＭＯランクで送信のために前記さらなるＵＥをスケジューリングすることをさらに含む、請求項１に記載の方法。
【請求項９】
さらなるＵＥは、ランク閾値及び／又は干渉閾値が到達するまで前記基地局において選択される、請求項８に記載の方法。
【請求項１０】
基地局と、
１又は複数のスケジューリングされるＵＥ及び複数の候補ＵＥを含む複数のＵＥと、
を含み、
前記基地局は、
前記候補ＵＥの中からＵＥを選択し、前記選択されたＵＥのためのＭＩＭＯランクを選択するように構成され、選択されるＵＥ及び選択されるＵＥのＭＩＭＯランクは、選択されるＭＩＭＯランクの前記選択されたＵＥと、前記スケジューリングされるＵＥとの間のＵＥ間干渉に応じて選択され、
前記基地局は、前記スケジューリングされるＵＥと共に、前記ＭＩＭＯランクで送信のために前記ＵＥをスケジューリングする、
ＭＩＭＯシステム。
【手続補正３】
【補正対象書類名】明細書
【補正対象項目名】００４７
【補正方法】変更
【補正の内容】
【００４７】
便宜上、以下の表１は、方法３００へのデータ入力、方法３００のデータ出力、及び方法３００によって使用される制御パラメータの概要を提供する。
【表１】
2019526976.tif 000054
【国際調査報告】
2019526976.tif 000055
2019526976.tif 000056